(57)【特許請求の範囲】
【請求項１】
イメージ形成システムにより遅延値を決定する方法であって、
媒体を媒体搬送ユニットにより媒体搬送経路に沿って搬送し、
該媒体をヒータユニットにより加熱し、
プリントヘッドアセンブリにより前記媒体搬送経路を横切る複数のプリントパスを提供し、
それぞれのプリントパスに対応してそれぞれのスワスが前記媒体上に形成されるように前記プリントヘッドアセンブリにより複数のスワスを含むイメージを形成すべく前記媒体にインクを付与し、
温度モジュールにより前記媒体の温度を検出して該検出された温度が目標温度範囲外であるか否かを判定し、
前記検出された温度が前記目標温度範囲外であるとの判定に応じて遅延決定モジュールにより遅延値を決定し、
前記検出された温度が前記目標温度範囲外であるとの判定に応じて制御ユニットにより前記プリントヘッドアセンブリによる前記媒体上への前記それぞれのスワスの各形成の間に前記遅延値に対応する時間量の遅延を提供する、
という各ステップからなる、イメージ形成システムにより遅延値を決定する方法。
【請求項２】
前記媒体にインクを付与する前記ステップが更に、
少なくとも１つのプリントヘッドにより前記複数のスワスを含む前記イメージを形成するよう前記媒体にインクを付与し、
前記それぞれのプリントパスを実行するために前記少なくとも１つのプリントヘッドを前記媒体搬送経路を横切って移動させるように該少なくとも１つのプリントヘッドをキャリッジにより受容する、
という各ステップからなる、請求項１に記載の方法。
【請求項３】
前記遅延決定モジュールにより前記遅延値を決定する前記ステップが更に、
目標温度値と前記検出された媒体の温度との差に対応する温度差、前記媒体が初期位置から目標位置へと移動する距離に対応する目標媒体移動距離、前記プリントヘッドアセンブリのそれぞれのプリントパス中に前記媒体が移動する距離に対応する中間媒体移動距離、及び所定の定数のうちの少なくとも１つに基づいて前記遅延値を決定するステップ
からなる、請求項１又は請求項２に記載の方法。
【請求項４】
前記遅延決定モジュールにより前記遅延値を決定する前記ステップが更に、
前記温度差、前記目標媒体移動距離、前記中間媒体移動距離、及び前記定数に基づいて前記遅延値を決定するステップからなる、
請求項３に記載の方法。
【請求項５】
前記遅延値が次式により決定される、請求項１ないし請求項４の何れか一項に記載の方法。
Vd = A(tt-td)/(dt/dp) 
Vdは遅延値
Aは定数
ttは目標温度値
tdは検出された媒体の温度
dtは媒体が初期位置から目標位置へと移動する距離
dpはプリントヘッドアセンブリのそれぞれのプリントパス中に媒体が移動する距離
【請求項６】
前記初期位置が、前記媒体の温度が検出されたときの該媒体のそれぞれの位置に対応する、請求項３ないし請求項５の何れか一項に記載の方法。
【請求項７】
イメージ形成システムであって、
媒体搬送経路に沿って媒体を搬送する媒体搬送ユニットと、
該媒体を加熱するためのヒータユニットと、
前記媒体搬送経路を横切って複数のプリントパスを提供するプリントヘッドアセンブリであって、それぞれのプリントパスに対応してそれぞれのスワスが前記媒体上に形成されるように複数のスワスを含むイメージを形成すべく前記媒体にインクを付与する、プリントヘッドアセンブリと、
前記媒体の温度を検出して該検出された温度が目標温度範囲外であるか否かを判定する温度モジュールと、
前記検出された温度が前記目標温度範囲外であるとの判定に応じて遅延値を決定する遅延決定モジュールと、
前記検出された温度が前記目標温度範囲外であるとの判定に応じて、前記プリントヘッドアセンブリによる前記媒体上へのそれぞれのスワスの各形成の間に、前記遅延値に対応する時間量の遅延を提供する、制御ユニットと
を備えている、イメージ形成システム。
【請求項８】
前記プリントヘッドアセンブリが更に、
前記複数のスワスを含む前記イメージを形成するよう前記媒体にインクを付与する少なくとも１つのプリントヘッドと、
該少なくとも１つのプリントヘッドを受容するキャリッジであって、前記それぞれのプリントパスを実行するように前記媒体搬送経路を横切って前記少なくとも１つのプリントヘッドを移動させる、キャリッジと
からなる、請求項７に記載のイメージ形成システム。
【請求項９】
前記それぞれのスワスの各形成の間に前記遅延値に対応する時間量の遅延を提供する前記制御ユニットが更に、
前記少なくとも１つのプリントヘッドが前記それぞれのプリントパスを実行することが可能となるように前記キャリッジを移動させるのに先立って前記遅延値に対応する時間量の遅延を提供する制御ユニット
からなる、請求項８に記載のイメージ形成システム。
【請求項１０】
前記遅延決定モジュールが、目標温度値と前記検出された媒体の温度との差に対応する温度差、前記媒体が初期位置から目標位置へと移動する距離に対応する目標媒体移動距離、前記プリントヘッドアセンブリのそれぞれのプリントパス中に前記媒体が移動する距離に対応する中間媒体移動距離、及び所定の定数のうちの少なくとも１つに基づいて前記遅延値を決定するよう構成されている、請求項７ないし請求項９の何れか一項に記載のイメージ形成システム。
【請求項１１】
前記遅延決定モジュールが、前記温度差、前記目標媒体移動距離、前記中間媒体移動距離、及び前記定数に基づいて前記遅延値を決定するよう構成されている、請求項１０に記載のイメージ形成システム。
【請求項１２】
前記遅延値が次式により決定される、請求項７ないし請求項１１の何れか一項に記載のイメージ形成システム。
Vd = A(tt-td)/(dt/dp) 
Vdは遅延値
Aは定数
ttは目標温度値
tdは検出された媒体の温度
dtは媒体が初期位置から目標位置へと移動する距離
dpはプリントヘッドアセンブリのそれぞれのプリントパス中に媒体が移動する距離
【請求項１３】
前記初期位置が、前記媒体の温度が検出されたときの該媒体のそれぞれの位置に対応する、請求項１０ないし請求項１２の何れか一項に記載のイメージ形成システム。
【請求項１４】
遅延値を決定するようイメージプリンティングシステムを動作させるためのコンピュータ実行可能命令が格納された持続性コンピュータ読み取り可能記憶媒体であって、該命令が、プロセッサにより実行された際に、
媒体を媒体搬送ユニットにより媒体搬送経路に沿って搬送し、
該媒体をヒータユニットにより加熱し、
プリントヘッドアセンブリにより前記媒体搬送経路を横切る複数のプリントパスを提供し、
それぞれのプリントパスに対応してそれぞれのスワスが前記媒体上に形成されるように前記プリントヘッドアセンブリにより複数のスワスを含むイメージを形成すべく前記媒体にインクを付与し、
温度モジュールにより前記媒体の温度を検出して該検出された温度が目標温度範囲外であるか否かを判定し、
前記検出された温度が前記目標温度範囲外であるとの判定に応じて遅延決定モジュールにより遅延値を決定し、
前記検出された温度が前記目標温度範囲外であるとの判定に応じて前記プリントヘッドアセンブリによる前記媒体上へのそれぞれのスワスの各形成の間に前記遅延値に対応する時間量の遅延を提供する、
という各ステップを行うものである、持続性コンピュータ読み取り可能記憶媒体。
【請求項１５】
前記命令が、前記プロセッサにより実行された際に、目標温度値と前記検出された媒体の温度との差に対応する温度差、前記媒体が初期位置から目標位置へと移動する距離に対応する目標媒体移動距離、前記プリントヘッドアセンブリのそれぞれのプリントパス中に前記媒体が移動する距離に対応する中間媒体移動距離、及び所定の定数のうちの少なくとも１つに基づいて前記遅延値を決定するステップを更に行うものである、請求項１４に記載の持続性コンピュータ読み取り可能記憶媒体。
【発明の詳細な説明】
【背景技術】
【０００１】
イメージ形成システムは、媒体搬送経路を横切る複数のプリントパス（print pass）を提供するためのプリントヘッドアセンブリを含むことが可能である。該プリントヘッドアセンブリは、媒体にインクを付与して、複数のスワス（swath：帯状部）を含むイメージを形成することが可能であり、その各スワスはそれぞれのプリントパスに対応して該媒体上に形成される。
【発明の概要】
【発明が解決しようとする課題】
【０００２】
イメージ形成システムは、媒体搬送経路を横切る複数のプリントパスを提供するプリントヘッドアセンブリを含むことが可能である。該プリントヘッドアセンブリは、媒体にインクを付与して、複数のスワスを含むイメージを形成することが可能であり、その各スワスはそれぞれのプリントパスに対応して該媒体上に形成される。該イメージ形成システムは、媒体上にインクでイメージを形成する前、形成している間、及び／又は形成した後に、媒体を加熱することが可能である。該インクは、紫外線硬化性インク、ラテックスインク、水性インク、及び溶剤型インク等を含むことが可能である。しかし、周期的に、媒体が十分に加熱されない場合があり、このため、該媒体上に形成されたイメージは、媒体との不適切なインクの付着、媒体の歪み、及び染みを生じさせるものとなる。例えば、所与の媒体が以前にプリントされた別の媒体上に重ねられた場合に、不十分に加熱された媒体上に形成されたイメージに起因して、媒体の座屈、該別の媒体上のイメージの一部の摩擦による欠落、及び染みが生じる可能性がある。イメージ形成システムはまた、媒体全体が目標温度範囲内になるまで該媒体の搬送及び該媒体のあらゆる部分に対するプリントを遅延させる場合がある。したがって、高品質プリントジョブを生成するイメージ形成システムのイメージ品質及びスループットが低下することとなる。
【課題を解決するための手段】
【０００３】
一例では、イメージ形成システムにより遅延値を決定する方法は、特に、複数のスワスを含むイメージをプリントヘッドアセンブリにより形成するように媒体にインクを付与し、その各スワスがそれぞれのプリントパスに対応して該媒体上に形成されるようにすることを含むことが可能である。該方法はまた、温度モジュールにより媒体の温度を検出して該検出された温度が目標温度範囲外であるか否かを判定し、該検出された温度が目標温度範囲外であるとの判定に応じて遅延決定モジュールにより遅延値を決定し、該検出された温度が目標温度範囲外であるとの該判定に応じて、制御ユニットによりそれぞれぞれのプリントパスを実行するためのプリントヘッドアセンブリの各移動に先立って前記遅延値に対応する時間量の遅延を提供する、という各ステップを含むことが可能である。すなわち、イメージを完成させるためのそれぞれのスワスの形成の間に遅延時間を適用することが可能である。このため、媒体全体が目標温度範囲内に達するまで待機することなく該媒体を移動させて各部をプリントすることが可能となると共に、該媒体が目標位置に到達する前に十分に加熱されるだけの適当な時間を該媒体に与えることが可能となる。したがって、高品質プリントジョブの生成時におけるイメージ形成システムのイメージ品質の劣化及びそのスループットの低下を低減させることが可能となる。
【図面の簡単な説明】
【０００４】
【図１】一例によるイメージ形成システムを示すブロック図である。
【図２】一例による図１のイメージ形成システムを示す概略図である。
【図３】一例による図１のイメージ形成システムを示す概略図である。
【図４】一例によるイメージ形成システムにより遅延値を決定する方法を示すフローチャートである。
【図５】一例による遅延値を決定するようイメージ形成システムを動作させるための命令を格納する持続性コンピュータ読み取り可能記憶媒体及びプロセッサを含む該イメージ形成システム等のコンピューティング装置を示すブロック図である。
【０００５】
図１は、一例によるイメージ形成システムを示すブロック図である。図１において、実例によっては、イメージ形成システム100は、プリントヘッドアセンブリ10、媒体搬送ユニット11、ヒータユニット15、温度モジュール12、遅延決定モジュール13、及び制御ユニット14を含むことが可能である。媒体搬送ユニット11は、媒体搬送経路11aに沿って媒体を搬送することが可能である。ヒータユニット15は該媒体を加熱することが可能である。プリントヘッドアセンブリ10は、媒体搬送経路11aを横切る複数のプリントパスを提供することが可能である。プリントヘッドアセンブリ10はまた、媒体にインクを付与して複数のスワスを含むイメージを形成し、該スワスの各々がそれぞれのプリントパスに対応して媒体上に形成されるようにすることが可能である。
【０００６】
図１を参照すると、実例によっては、温度モジュール12は、媒体の温度を検出して、該検出された温度が目標温度範囲外であるか否かを判定することが可能である。該検出された温度が目標温度範囲外である場合には、遅延決定モジュール13が遅延値を決定することが可能である。更に、検出された温度が目標温度範囲外である場合、制御ユニット14は、プリントヘッドアセンブリ10による媒体上の各スワスの各々を形成する間に、前記遅延値に対応する時間量の遅延を提供することが可能である。更に、検出された温度が目標温度範囲内にあるという判定に応じて、制御ユニット14によりそれぞれのプリントパスを実行するためのプリントヘッドアセンブリ10の各移動に先立って前記遅延値に対応する時間量の遅延を提供しない。
【０００７】
図２及び図３は、一例による図１のイメージ形成システムを示す概略図である。図２及び図３において、実例によっては、イメージ形成システム100は、図１に関して上述したように、プリントヘッドアセンブリ10、媒体搬送ユニット11、ヒータユニット15、温度モジュール12、遅延決定モジュール13、及び制御ユニット14を含むことが可能である。イメージ形成システム100はまた、媒体供給ユニット21a、媒体収集ユニット21b、及び硬化ユニット29を含むことが可能である。プリントヘッドアセンブリ10は、プリントヘッド10a及びキャリッジ10bを含むことが可能である。プリントヘッド10aは、媒体25にインクを付与して、複数のスワスを含むイメージを形成することが可能である。キャリッジ10bは、プリントヘッド10aを受容することが可能である。キャリッジ10bはまた、それぞれのプリントパスを実行するために、プリントヘッド10aを媒体搬送経路11aを横切って移動させることが可能である。すなわち、キャリッジ10bは、媒体搬送経路11aを横切って走査方向ｍrに前後に移動することが可能である。実例によっては、プリントヘッドアセンブリ10は、インクジェットプリントヘッドのように、複数のプリントヘッドを含むことが可能である。
【０００８】
図２及び図３を参照すると、実例によっては、媒体搬送ユニット11は、モータ、サーボ、ローラ、ベルト、及び／又はトレイ等を含むことが可能である。例えば、媒体25を、媒体供給ユニット21aにより供給し、及び媒体搬送ユニット11（例えば、ローラ及びベルト装置）により媒体搬送経路11aに沿って搬送方向mmに媒体収集ユニット21bへと搬送することが可能である。媒体収集ユニット21bは、媒体搬送ユニット11からの媒体25を積み重ねられた態様で受容し格納することが可能である。媒体25は、プリントヘッドアセンブリ10が該媒体上にインクを付与してイメージを形成するためのプリントゾーンへと搬送することが可能である。続いて、媒体25は、硬化ユニット29へ搬送して該媒体25上にインクにより形成されたイメージを硬化させることが可能である。実例によっては、硬化ユニット29は、熱及び／又は紫外線を該イメージ上に適用することが可能である。媒体25は、ヒータユニット15により加熱することも可能である。実例によっては、イメージ形成システム100は、複数のヒータユニットを含むこと及び／又は予め加熱されることが可能である。場合によっては、媒体25の温度は、例えば、媒体のインク被覆率及び／又はヒータユニットの応答時間の変化によって異なり得る。
【０００９】
図２及び図３を参照すると、実例によっては、温度モジュール12は、媒体25の温度を検出して、該検出された温度が目標温度範囲外であるか否かを判定することが可能である。例えば、温度モジュール12は、該検出された温度が所定の目標温度値よりも低いか否かを判定するよう構成することが可能である。すなわち、該目標温度範囲は、該目標温度値以上の範囲とすることが可能である。換言すれば、該目標温度値は、該目標温度範囲内の最低温度値とすることが可能である。温度モジュール12は、温度サーボ制御センサ等の温度センサを含むことが可能である。実例によっては、温度モジュール12は、複数の温度センサを含むことが可能である。イメージ形成システム100が複数の温度モジュールを含むことも可能である。
【００１０】
図２及び図３を参照すると、実例によっては、制御ユニット14は、それぞれのスワスの形成間に、遅延値に対応する時間量の遅延を提供することが可能である。例えば、制御ユニット14は、少なくとも１つのプリントヘッド10aがそれぞれのプリントパスを実行することを可能とするためにキャリッジ10bを移動させる前に、遅延値に対応する時間量の遅延を提供することが可能である。このため、該遅延値は、媒体が目標位置ptに到達する際に該媒体25が目標温度に達するための時間を各スワスの形成間に提供するための、動的なスワス間乾燥時間とすることが可能である。例えば、目標位置ptは、硬化ステーション29の入口における位置とすることが可能である。更に、検出された温度が目標温度範囲内にあるとの判定に応じて、遅延値に対応する時間量の遅延は、制御ユニット14によりそれぞれのプリントパスを実行するためのプリントヘッドアセンブリ10の各移動に先立って提供されない。
【００１１】
図２及び図３を参照すると、実例によっては、遅延決定モジュール13は、目標温度値と検出された媒体25の温度との差に対応する温度差、媒体25が初期位置piから目標位置ptへ移動する距離に対応する目標媒体移動距離、プリントヘッドアセンブリ10のそれぞれのプリントパス中に媒体25が移動する距離に対応する中間媒体移動距離、及び所定の定数のうちの少なくとも１つに基づいて遅延値を決定するよう構成することが可能である。例えば、前記定数は、所定数のプリントパスに対する媒体25の経時的な温度変化率に対応するものとすることが可能である。実例によっては、前記定数は、媒体のタイプ、インクのタイプ、媒体のインク被覆量、及び／又はプリントパス数に基づくものとすることが可能である。初期位置piは、媒体25の温度が検出されたときの該媒体25の各位置に対応するものとすることが可能である。遅延決定モジュール13は、例えば、前記温度差、前記目標媒体移動距離、前記中間媒体移動距離、及び前記定数に基づいて遅延値を決定するよう構成することが可能である。
【００１２】
実例によっては、遅延値は、式１により決定することが可能である。
【００１３】
Vd = A(tt-td)/(dt/dp)      …  （式１）
ここで、
Vdは遅延値
Aは定数、
ttは目標温度値、
tdは検出された媒体の温度、
dtは媒体が初期位置から目標位置へ移動する距離（例えば、目標媒体移動距離）、
dpはプリントヘッドアセンブリのそれぞれのプリントパス中に媒体が移動する距離（例えば、中間媒体移動距離）である。
【００１４】
例示のため、以下に示す実例では、目標温度範囲は目標温度値40℃以上の範囲である。温度モジュール12は、38℃の媒体25の温度tdを検出する。よって、それぞれの温度差は２℃である。媒体25の初期位置piは、該媒体25のそれぞれの検出された温度tdが識別されたときの現在の媒体位置である。媒体25の目標位置ptは、媒体25の初期位置piから1ｍ離れた硬化ユニット29の入口に対応する位置である。よって、目標媒体移動距離dtは1mである。すなわち、媒体25が初期位置piから目標位置ptへ媒体搬送経路11aに沿って媒体移動方向mmに移動する距離dtは1mである。また、プリントヘッドアセンブリ10が１つのプリントパスを実行する時間中に、媒体25は媒体搬送経路11aに沿って媒体搬送方向mmに0.1m移動することが可能である。よって、中間媒体移動距離dpは0.1mである。
【００１５】
更に、定数Aは、10m・秒／℃とすることが可能である。実例によっては、該定数は、所定数のプリントパスに対する媒体25の経時的な温度変化率に対応するものとすることが可能である。したがって、それぞれのスワスの形成間で使用されるべき遅延時間は、新たな現在値に基づく別の遅延時間の決定が完了するまで２秒となるよう計算される。実例によっては、遅延時間の決定の反復が計算される際に、該遅延時間がゼロに近づく可能性がある。このため、遅延時間は、リアルタイムで動的に決定することが可能であり、その結果として、媒体25が目標位置ptに到達するまでに該媒体25の温度が目標温度ttに到達するための十分な時間を可能にするための動的で可変のスワス間乾燥時間が決定されることになる。
【００１６】
実例によっては、温度モジュール12、遅延決定モジュール13、及び／又は制御ユニット14は、ハードウェア、ファームウェアを含むソフトウェア、又はそれらの組み合わせで実施することが可能である。該ファームウェアは、例えば、メモリに格納し、及び適当な命令実行システムにより実行することが可能である。ハードウェアで実施する場合、代替的な実施形態では、温度モジュール12、遅延決定モジュール13、及び／又は制御ユニット14は、当業界で周知の複数の技術（例えば、個別（discrete）論理回路、特定用途向け集積回路（ASIC）、プログラマブルゲートアレイ（PGA）、フィールドプログラマブルゲートアレイ（FPGA）、及び／又はその他の後に開発された技術）の何れか又はそれらの組み合わせで実施することが可能である。他の実例では、温度モジュール12、遅延決定モジュール13、及び／又は制御ユニット14は、計算装置の制御下で実行され格納されるソフトウェア及びデータの組み合わせで実施することが可能である。
【００１７】
図４は、一例によるイメージ形成システムにより遅延値を決定する方法を示すフローチャートである。図４を参照すると、ブロックS410で、媒体搬送ユニットにより媒体搬送経路に沿って媒体が搬送される。ブロックS412で、該媒体がヒータユニットにより加熱される。ブロックS414で、プリントヘッドアセンブリにより複数のプリントパスが媒体搬送経路を横切って提供される。ブロックS416で、該プリントヘッドアセンブリにより複数のスワスを含むイメージを形成するよう該媒体にインクが付与されて、それぞれのプリントパスに対応してそれぞれのスワスが媒体上に形成される。ブロックS418で、媒体の温度が温度モジュールにより検出されて、該検出された温度が目標温度範囲外であるか否かが判定される。ブロックS420で、該検出された温度が目標温度範囲外であるとの判定に応じて遅延決定モジュールにより遅延値が決定される。
【００１８】
ブロックS422で、該検出された温度が目標温度範囲外であるとの判定に応じて、制御ユニットにより、それぞれのプリントパスを実行するためのプリントヘッドアセンブリの各移動の前に、前記遅延値に対応する時間量の遅延が提供される。すなわち、少なくとも１つのプリントヘッドにより、複数のスワスを含むイメージを形成するよう媒体にインクを付与することが可能であり、該少なくとも１つのプリントヘッドは、該少なくとも１つのプリントヘッドを媒体搬送経路を横切って移動させてそれぞれのプリントパスを実行するようにキャリッジにより受容することが可能である。例えば、前記遅延値に対応する時間量の遅延は、プリントヘッドアセンブリにより媒体上にそれぞれのスワスを形成する間に制御ユニットにより提供することが可能である。実例によっては、検出された温度が目標温度範囲外であるか否かの判定は、該検出された温度が目標温度値よりも低いか否かに基づくものとすることが可能である。
【００１９】
実例によっては、遅延決定モジュールによる遅延値の決定は、目標温度値と検出された媒体の温度との差に対応する温度差、媒体が初期位置から目標位置へ移動する距離に対応する目標媒体移動距離、プリントヘッドアセンブリのそれぞれのプリントパス中に媒体が移動する距離に対応する中間媒体移動距離、及び所定の定数のうちの少なくとも１つに基づくものとすることが可能である。例えば、前記定数は、所定数のプリントパスに対する媒体の経時的な温度変化率に対応するものとすることが可能である。実例によっては、前記遅延値の決定は、前記温度差、前記目標媒体移動距離、前記中間媒体移動距離、及び前記定数に基づくものとすることが可能である。例えば、前記遅延値は、上述した式１により決定することが可能である。代替的に、前記検出された温度が目標温度範囲内であるとの判定に応じて、制御ユニットによりそれぞれのプリントパスを実行するようプリントヘッドアセンブリの各移動に先立って前記遅延値に対応する時間量の遅延を提供しない。
【００２０】
図５は、一例による、プロセッサと、遅延値を決定するようイメージ形成システムを動作させるための命令を格納する持続性コンピュータ読み取り可能記憶媒体とを含む、イメージ形成システム等の計算装置を示すブロック図である。図５を参照すると、実例によっては、持続性コンピュータ読み取り可能記憶媒体55は、遅延決定モジュール13を含むイメージ形成システム等の計算装置500内に含めることが可能である。実例によっては、持続性コンピュータ読み取り可能記憶媒体55は、その全体又はその一部を、計算装置（例えば、本書ではイメージ形成システムの一部とみなされるサーバ又はホストコンピューティング装置）内にローカルに又はリモートに格納されたコンピュータ実行可能命令等の命令57として実施することが可能である。
【００２１】
図５を参照すると、実例によっては、持続性コンピュータ読み取り可能記憶媒体55は、命令57（例えば、コンピュータにより実行される命令及び／又はプログラミングコード等）を格納する記憶装置に対応するものとすることが可能である。例えば、持続性コンピュータ読み取り可能記憶媒体55は、不揮発性メモリ、揮発性メモリ、及び／又は記憶装置を含むことが可能である。不揮発性メモリの例として、EEPROM（electrically erasable programmable read only memory）及びROM（read only memory）が挙げられる（但し、それらには限定されない）。揮発性メモリの例として、SRAM（static random access memory）及びDRAM（dynamic random access memory）が挙げられる（但し、それらには限定されない）。
【００２２】
図５を参照すると、記憶装置の例として、ハードディスクドライブ、CDドライブ、DVDドライブ、光学ドライブ、及びフラッシュメモリデバイスが挙げられる（但し、それらには限定されない）。実例によっては、持続性コンピュータ読み取り可能記憶媒体55は、命令57が印刷された紙その他の適当な媒体とすることさえ可能である。これは、命令57が、例えば、紙その他の媒体の光学的な走査、及び必要に応じたそれに次ぐコンパイル、解釈、又はそれ以外の処理を単一の態様で行うことにより電気的に捕捉し、次いで格納することが可能であるからである。プロセッサ59は、一般に、持続性コンピュータ読み取り可能記憶媒体55に格納されている命令57を読み出して実行して、例えば、イメージ形成システムが一実施形態に従って遅延値を決定するように計算装置500を動作させる。一実施形態では、持続性コンピュータ読み取り可能記憶媒体55は、プロセッサ59によりアクセスすることが可能である。遅延決定モジュール13は、検出された温度が目標温度範囲外であるとの判定に応じて遅延値を決定することが可能である。
【００２３】
図４のフローチャートは、本開示の実例のアーキテクチャ、機能、及び／又は動作を示していることが理解されよう。ソフトウェアで実施される場合には、各ブロックは、１つ以上の特定の論理機能を実施するための１つ以上の実行可能命令を含む、モジュール、セグメント、又はコードの一部を表すことが可能である。ハードウェアで実施される場合には、各ブロックは、１つ以上の特定の論理機能を実施するための１つの回路又は相互接続された複数の回路を表すことが可能である。図４のフローチャートは、特定の実行順序を示しているが、該実行順序は、図示のものとは異ならせることが可能である。例えば、２つ以上のブロックの実行順序を図示の順序とは異なるよう任意に変更することが可能である。また、図４で連続して示されている２つ以上のブロックを同時に又は部分的に同時に実行することが可能である。かかる変更の全ては、本開示の範囲内のものである。
【００２４】
本開示は、その実例の非制限的な詳細な記述を用いて説明したが、それらは本発明の一般的な思想の範囲を限定することを意図したものではない。１つの実例に関して説明した複数の特徴及び／又は複数の動作は、他の実例で用いることが可能なものであり、全ての実例が、特定の図面に図示し又は複数の実例のうちの１つに関して説明した複数の特徴及び／又は複数の動作の全てを有する訳ではない、ということが理解されよう。説明した実例の変形例は、当業者には自明であろう。更に、用語「からなる」、「含む」、「有する」及びそれらの活用形は、本願の明細書及び特許請求の範囲で用いる場合には、「含むがそれには限定されない」ことを意味する。
【００２５】
上記の実例の幾つかは、本発明の一般的な思想にとって不可欠ではなく例示のみを目的とした構造、作用、又は構造及び作用の細部を含み得るものである、ということに留意されたい。本書に記載する構造及び作用は、当業界で周知のように、該構造及び作用が異なる場合であっても、同一の機能を実行する等価物により置換することが可能である。よって、本発明の一般的な思想の範囲は、特許請求の範囲で用いる要素及び制限によってのみ限定されるものである。
【図１】
0005960913.tif 000002
【図２】
0005960913.tif 000003
【図３】
0005960913.tif 000004
【図４】
0005960913.tif 000005
【図５】
0005960913.tif 000006